(57)【特許請求の範囲】
【請求項１】
画像データに基づいて被画像形成媒体に画像を形成するための画像形成部を有する本体側筐体と、
前記画像データを生成するために原稿を読み取る原稿読取部を有し、前記本体側筐体の上部に開閉可能に配置される原稿読取部筐体と、
前記原稿読取部筐体の上部に開閉可能に配置される蓋部と、
前記原稿読取部筐体に配置される液晶表示部と、
前記本体側筐体に対しての前記原稿読取部筐体の開閉状態を検出する開閉検出部と、
前記本体側筐体に対して前記蓋部が開状態となるか否かを検出する状態検出部と、
前記開閉検出部により前記原稿読取部筐体の開状態を検出し、且つ、前記状態検出部により前記蓋部が前記本体側筐体に対して開状態となることを検出した場合には、前記原稿読取部筐体が前記本体側筐体に対して開状態になっていると判断して、前記原稿読取部筐体が開状態となるときのユーザに視認され易いコントラストになるよう前記液晶表示部を制御し、前記開閉検出部により前記原稿読取部筐体の閉状態を検出した場合には、前記原稿読取部筐体が前記本体側筐体に対して閉状態になっていると判断して、前記原稿読取部筐体が閉状態となるときのユーザに視認され易いコントラストになるよう前記液晶表示部を制御する制御部と、
を備える画像形成装置。
【請求項２】
前記原稿読取部筐体が前記本体側筐体に対して開状態になる場合における、前記本体側筐体に対する前記原稿読取部筐体の角度を検出する角度検出部をさらに備え、
前記制御部は、前記角度検出部により検出される角度に応じて、前記液晶表示部がユーザに視認され易いコントラストになるよう前記液晶表示部を制御する
請求項１に記載の画像形成装置。
【発明の詳細な説明】
【技術分野】
【０００１】
本発明は、液晶表示部を備える画像形成装置に関する。
【背景技術】
【０００２】
コピー機等の画像形成装置には、画像データに基づいて用紙に画像を形成するための画像形成部を有する本体側筐体と、本体側筐体に対して開閉可能に設けられる原稿読取部筐体と、原稿読取部筐体に対して開閉可能に配置される蓋部とを備えるものがある。原稿読取部筐体は、画像データを生成するために原稿の読み取りを行う原稿読取部と、種々の情報が表示される表示部とを備える（特許文献１参照）。
【先行技術文献】
【特許文献】
【０００３】
【特許文献１】特開２００８−２０９６２６号公報
【発明の概要】
【発明が解決しようとする課題】
【０００４】
上述した表示部には、液晶ディスプレイが利用されることが多い。この液晶ディスプレイのコントラストは、原稿読取部筐体が本体側筐体に対して閉じられている時（閉状態の時）に、ユーザが表示内容を視認しやすいように調整される。ところが、上述した画像形成装置では、画像形成部に供給されるトナーを収容するトナーカートリッジを交換したり、用紙詰りを解消したりする等の理由により原稿読取部筐体を本体側筐体に対して開状態とした場合に、表示部が上方に移動して、コントラストが調整されている角度とは異なる角度で表示部が配置されてしまう。このような場合でも、表示部には、トナーカートリッジの交換や用紙詰りの解消に必要な情報が表示される。したがって、上述した画像形成装置では、原稿読取部筐体が開状態の場合には、ユーザは、表示部に表示される情報を見づらくなっていた。
【０００５】
本発明は、液晶表示部が配置される原稿読取部筐体の開閉状態にかかわらず、液晶表示部の表示内容の視認性を向上させることが可能な画像形成装置を提供することを目的とする。
【課題を解決するための手段】
【０００６】
本発明は、画像データに基づいて被画像形成媒体に画像を形成するための画像形成部を有する本体側筐体と、前記画像データを生成するために原稿を読み取る原稿読取部を有し、前記本体側筐体の上部に開閉可能に配置される原稿読取部筐体と、前記原稿読取部筐体の上部に開閉可能に配置される蓋部と、前記原稿読取部筐体に配置される液晶表示部と、前記本体側筐体に対しての前記原稿読取部筐体の開閉状態を検出する開閉検出部と、前記本体側筐体に対して前記蓋部が第１状態となるか否かを検出する状態検出部と、前記開閉検出部により前記原稿読取部筐体の開状態を検出し、且つ、前記状態検出部により前記蓋部が第１状態となることを検出した場合と、前記開閉検出部により前記原稿読取部筐体の閉状態を検出した場合とで、前記液晶表示部のコントラストを異ならせるよう前記液晶表示部を制御する制御部とを備える画像形成装置に関する。
【０００７】
また、前記画像形成装置は、前記原稿読取部筐体が前記本体側筐体に対して開状態になる場合における、前記本体側筐体に対する前記原稿読取部筐体の角度を検出する角度検出部をさらに備え、前記制御部は、前記角度検出部により検出される角度に応じて、前記液晶表示部のコントラストを変えるよう前記液晶表示部を制御することが好ましい。
【発明の効果】
【０００８】
本発明によれば、液晶表示部が配置される原稿読取部筐体の開閉状態にかかわらず、液晶表示部の表示内容の視認性を向上させることができる。
【図面の簡単な説明】
【０００９】
【図１】画像形成装置の一実施形態に係るコピー機の外観斜視図である。
【図２】図１に示すコピー機において、原稿読取部筐体が本体側筐体に対して開状態となるときの外観斜視図である。
【図３】図１に示すコピー機において、蓋部が原稿読取部筐体に対して開状態となると共に、原稿読取部筐体が本体側筐体に対して開状態となる場合の右側面図である。
【図４】コピー機の機能構成を示すブロック図である。
【図５】蓋部が本体側筐体に対して開状態となる場合に、角度検出部について説明するための図である。
【図６】蓋部が本体側筐体に対して閉状態となる場合に、角度検出部について説明するための図である。
【図７】角度検出部の概略を表す回路図である。
【図８】原稿読取部筐体が本体側筐体に対して開状態となる場合の、コピー機の右側面図である。
【図９】コピー機の特徴的な動作について説明するためのフローチャートである。
【発明を実施するための形態】
【００１０】
以下、図面を参照して、本発明の画像形成装置の一実施形態に係るコピー機１について説明する。まず、コピー機１の全体構成について説明する。図１は、画像形成装置の一実施形態に係るコピー機１の外観斜視図である。図２は、図１に示すコピー機１において、原稿読取部筐体６が本体側筐体４に対して開状態となるときの外観斜視図である。図３は、図１に示すコピー機１において、蓋部７が原稿読取部筐体６に対して開状態となると共に、原稿読取部筐体６が本体側筐体４に対して開状態となる場合の右側面図である。
【００１１】
図１及び図２に示すように、コピー機１は、本体側筐体４と、上部筐体５（原稿読取部筐体６及び蓋部７）とを備える。
本体側筐体４は、画像データに基づいて用紙（被画像形成媒体）に画像を形成する画像形成部４０（図４参照）が配置される。本体側筐体４の上部には、上カバー４ａが開閉可能に配置される。図２に示すように、上カバー４ａが開状態にされた場合には、本体側筐体４の内部に配置されるトナーカートリッジ（図示せず）の交換や、画像形成部４０の整備等が可能になる。
【００１２】
原稿読取部筐体６は、本体側筐体４の上部に開閉可能に配置され、画像データを生成するために原稿（図示せず）を読み取る原稿読取部２０（図４参照）が配置される。原稿読取部筐体６は、その下側の後端部において、本体側筐体４における上側の後端部と第１係合部６ａ（図２参照）により係合される。また、原稿読取部筐体６は、その下面において、上カバー４ａの上面と第２係合部６ｂ（図２参照）により係合される。このため、原稿読取部筐体６が閉状態（図１参照）又は開状態（図２参照）となる場合、上カバー４ａは、原稿読取部筐体６の開閉に連動して、それぞれ閉状態（図１参照）又は開状態（図２参照）となる。さらに、原稿読取部筐体６は、前方に張り出すようにして配置された操作パネル６ｄを備える。操作パネル６ｄには、複数のキーから構成される操作部５０と、液晶表示部１００とが配置される。
【００１３】
液晶表示部１００は、第１の電極（図示せず）と、第２の電極（図示せず）と、液晶層（図示せず）とが積層して配置された液晶表示パネル（図示せず）を備える。なお、第１の電極と、第２の電極と、液晶層とが積層される順番は、これらの記載された順番に限定されることはない。第１の電極と第２の電極との間に電圧が印加された場合には、印加電圧に基づいて発生する電界によって液晶層を構成する液晶分子が配向される。したがって、液晶表示部１００は、第１の電極と第２の電極との間に電圧が印加された場合には、白を表示する。一方、液晶表示部１００は、第１の電極と第２の電極との間に電圧が印加されない場合には、黒を表示する。なお、液晶表示部は、第１の電極と第２の電極との間に電圧が印加された場合に黒を表示し、第１の電極と第２の電極との間に電圧が印加されない場合に白を表示するものであってもよい。なお、液晶表示部は、タッチセンサを備えるタッチパネルであってもよい。
【００１４】
蓋部７は、原稿読取部筐体６の上部に開閉可能に配置される。蓋部７は、その下側の後端部において、原稿読取部筐体６における上側の後端部と第３係合部６ｃ（図３参照）により係合される。蓋部７は、原稿読取部筐体６の開閉とは連動せずに、開状態又は閉状態となる。なお、図１及び図２は、原稿読取部筐体６に対して蓋部７が閉状態となる場合を示す。また、蓋部７が原稿読取部筐体６に対して閉状態となり、且つ、原稿読取部筐体６が本体側筐体４に対して閉状態となる状態（図１参照）から、原稿読取部筐体６が本体側筐体４に対して開状態（図２参照）に遷移する場合には、原稿読取部筐体６に対して蓋部７が開くことがないよう、蓋部７及び原稿読取部筐体６には、ストッパ（図示せず）が配置されている。
【００１５】
次に、コピー機１の機能構成について説明する。図４は、コピー機１の機能構成を示すブロック図である。図５は、蓋部７が本体側筐体４に対して開状態となる場合に、角度検出部１３０について説明するための図である。図６は、蓋部７が本体側筐体４に対して閉状態となる場合に、角度検出部１３０について説明するための図である。ここで、図５（Ａ）及び図６（Ａ）は正面図、図５（Ｂ）及び図６（Ｂ）は側面図である。図７は、角度検出部１３０の概略を表す回路図である。図８は、原稿読取部筐体６が本体側筐体４に対して開状態となる場合の、コピー機１の右側面図である。
【００１６】
図４に示すように、コピー機１は、原稿搬送部１０と、原稿読取部２０と、用紙搬送部３０と、画像形成部４０と、操作部５０と、記憶部６０と、制御部７０と、液晶表示部１００と、開閉検出部１１０と、状態検出部１２０と、角度検出部１３０とを備える。なお、液晶表示部１００の構成は、前述の通りである。また、開閉検出部１１０及び状態検出部１２０は、従来からコピー機に配置されている。
【００１７】
原稿搬送部１０は、ＡＤＦ（Ａｕｔｏ  Ｄｏｃｕｍｅｎｔ  Ｆｅｅｄｅｒ）であり、蓋部７に配置される。原稿搬送部１０は、原稿載置部１１（図１参照）と、原稿集積部１２（図１参照）とを備える。原稿載置部１１に配置された原稿は、送りローラ（図示せず）によって１枚ずつ順に原稿読取部２０の原稿読取面（図示せず）に供給される。原稿読取部２０によって読み取られた原稿は、蓋部７の外部に排出され、原稿集積部１２に積層して集積される。
【００１８】
原稿読取部２０は、原稿搬送部１０により搬送された原稿を読み取って、画像データを生成する。また、原稿読取部２０は、原稿読取部筐体６の上面に配置されるコンタクトガラス（図示せず）を備える。原稿読取部２０は、コンタクトガラスの上面に配置された原稿を読み取ることも可能である。
【００１９】
用紙搬送部３０は、本体側筐体４に配置される給紙カセット（図示せず）に収容される用紙、又は本体側筐体４の前面に配置される手差トレイ３１に載置される用紙を画像形成部４０に供給する。また、用紙搬送部３０は、画像形成部４０により画像が形成された用紙を本体側筐体４の外部（上部）に排出する。
【００２０】
画像形成部４０は、上述したトナーカートリッジに収容されるトナーを利用して、画像データに基づいて用紙に画像（トナー画像）を形成する。なお、画像形成部４０は、感光体ドラム（図示せず）に形成されたトナー画像を直接的又は間接的に用紙に転写し、その後、トナー画像が転写された用紙を加熱及び加圧することにより、トナー画像を用紙に定着させる。
【００２１】
操作部５０（上述したキー）は、例えば、印刷部数等の数字を入力する場合、印刷を実行させる場合に操作される。
【００２２】
記憶部６０は、ハードディスク、半導体メモリ等から構成される。記憶部６０は、原稿読取部２０によって読み取られた原稿に基づく画像データを記憶する。また、記憶部６０は、コピー機１において利用される制御プログラム、この制御プログラムによって利用されるデータ等を記憶する。
【００２３】
開閉検出部１１０は、本体側筐体４に対しての原稿読取部筐体６の開閉状態を検出する。開閉検出部１１０は、例えば、本体側筐体４に配置され、原稿読取部筐体６が閉状態になることに連動して上側カバーも閉状態となる場合に、その上カバー４ａによって押下（下降）されるスイッチを備えるものあればよい。開閉検出部１１０は、上カバー４ａによってスイッチが下降されることに基づいて、上カバー４ａ（原稿読取部筐体６）が閉状態であることを検出する。一方、開閉検出部１１０は、上カバー４ａによってスイッチが下降されずに、スイッチが上昇した状態であることに基づいて、上カバー４ａ（原稿読取部筐体６）が開状態であることを検出する。開閉検出部１１０は、原稿読取部筐体６の開状態及び閉状態を検出したそれぞれの場合に、原稿読取部筐体６が開状態又は閉状態であることを表す開閉検出信号を制御部７０に対して出力する。
【００２４】
状態検出部１２０は、本体側筐体４に対して蓋部７が第１状態となるか否かを検出する。具体的には、図５及び図６に具体例を示すように、状態検出部１２０は、光センサ１２２と遮断部材１２３とを備える。
光センサ１２２は、蓋部７に固定された基台１２１に配置される発光素子１２２ａと、発光素子１２２ａから出射された光を受光する受光素子１２２ｂとを備える。発光素子１２２ａは、例えば、レーザダイオードや発光ダイオードからなる。また、受光素子１２２ｂは、例えば、フォトダイオードからなる。図７に一例を示すように、発光素子１２２ａの一端は、第１抵抗Ｒ１を介して電源Ｖｃｃに接続され、発光素子１２２ａの他端は、接地される。受光素子１２２ｂの一端は、第２抵抗Ｒ２を介して電源Ｖｃｃに接続されると共に、制御部７０に接続される。また、受光素子１２２ｂの他端は、接地される。
また、図５及び図６に示すように、遮断部材１２３は、蓋部７が本体側筐体４に対して閉状態になる場合に、発光素子１２２ａから受光素子１２２ｂへ向かう光の光路を遮断する位置に配置される。遮断部材１２３は、上部に配置される支点部１２３ａにおいて蓋部７に結合されると共に、支点部１２３ａから下方に吊り下げられている。
【００２５】
次に、状態検出部１２０の動作について説明する。蓋部７が本体側筐体４に対して開状態になる場合（図２参照）、図５（Ａ）及び図５（Ｂ）に示すように、光センサ１２２は、図６（Ａ）に示す状態から円弧状の軌跡を描いて上方に移動する。この場合、遮断部材１２３は、支点部１２３ａから垂直方向に吊り下げられた状態のままである。このため、発光素子１２２ａから出射される光は、遮断部材１２３によって遮断されず、受光素子１２２ｂによって受光される。受光素子１２２ｂによって光が受光された場合、電源Ｖｃｃから制御部にＬｏｗ（低）信号が供給される。これにより、制御部７０は、原稿読取部筐体６が第１状態になっていると判断する。
【００２６】
一方、蓋部７が本体側筐体４に対して閉状態となる場合（図１参照）、図６（Ａ）及び図６（Ｂ）に示すように、光センサ１２２の間に遮断部材１２３が配置される。すなわち、遮断部材１２３は、支点部１２３ａから垂直方向に吊り下げられた状態となっており、発光素子１２２ａと受光素子１２２ｂとの間に配置される。このため、発光素子１２２ａから出射される光は、遮断部材１２３によって遮断され、受光素子１２２ｂによって受光されることはない。受光素子１２２ｂによって光が受光されない場合、電源Ｖｃｃから制御部７０にＨｉｇｈ信号が供給される。これにより、制御部７０は、原稿読取部筐体６が第１状態になっていないと判断する。
【００２７】
なお、状態検出部は、上述した構成に限定されることはなく、光センサが支点部から吊り下げられ、遮断部材が基台に固定される構成であってもよい。
【００２８】
角度検出部１３０は、原稿読取部筐体６が本体側筐体４に対して開状態になる場合における、本体側筐体４に対する原稿読取部筐体６の角度θ（図８参照）を検出する。角度検出部１３０は、例えば、本体側筐体４又は原稿読取部筐体６に配置される。
角度検出部１３０は、図２に示す第１係合部６ａ（回転軸）を中心にして原稿読取部筐体６が本体側筐体４に対して相対的に回転するよう移動する場合に、本体側筐体４に対する原稿読取部筐体６の回転角度θを検出する回転検出器であればよい。
【００２９】
また、角度検出部１３０は、例えば、本体側筐体４から上方に突出し、原稿読取部筐体６の開閉状態にかかわらず原稿読取部筐体６の下面に接触する検出部を備えるものであってもよい。この場合、角度検出部１３０は、検出部の突出状態（本体側筐体４から突き出る部分の長さ）に基づいて、本体側筐体４に対する原稿読取部筐体６の角度を検出する。検出部における本体側筐体４から突き出る部分の長さが短い場合には、本体側筐体４に対する原稿読取部筐体６の角度は小さくなり、検出部における本体側筐体４から突き出る部分の長さが長い場合には、本体側筐体４に対する原稿読取部筐体６の角度は大きくなる。
角度検出部１３０は、検出した角度を示す角度検出信号を制御部７０に対して出力する。
【００３０】
制御部７０は、原稿搬送部１０と、原稿読取部２０と、エンジン部３とを制御する。
また、制御部７０は、開閉検出部１１０により原稿読取部筐体６の開状態を検出し、且つ、状態検出部１２０により蓋部７が第１状態となることを検出した場合と、開閉検出部１１０により原稿読取部筐体６の閉状態を検出した場合とで、液晶表示部１００のコントラストを異ならせるよう液晶表示部１００を制御する。
【００３１】
表１に示すように、制御部７０は、開閉検出部１１０により原稿読取部筐体６の開状態を検出し、且つ、状態検出部１２０により蓋部７が第１状態となることを検出した場合には、例えば、本体側筐体４の内部に配置されるトナーカートリッジが交換されている等の理由により、原稿読取部筐体６が本体側筐体４に対して開状態であると判断する。なお、制御部７０は、蓋部７及び原稿読取部筐体６に上述したストッパが配置されているため、原稿読取部筐体６が開状態であると判断するときの精度を向上させることができる。
【００３２】
また、制御部７０は、開閉検出部１１０により原稿読取部筐体６の閉状態を検出し、又は、状態検出部１２０により蓋部７が第１状態とはならないことを検出した場合には、例えば、原稿搬送部１０及び原稿読取部２０を利用して原稿を読み取っている最中である等の理由により、原稿読取部筐体６及び蓋部７のそれぞれが本体側筐体４に対して閉状態であると判断する。
【００３３】
さらに、制御部７０は、開閉検出部１１０により原稿読取部筐体６の閉状態を検出し、且つ、状態検出部１２０により蓋部７が第１状態となることを検出した場合には、原稿読取部筐体６の上面に配置される上述したコンタクトガラスの上に原稿を載置している最中である等の理由により、原稿読取部筐体６が本体側筐体４に対して閉状態であり、蓋部７が本体側筐体４に対して開状態であると判断する。
【００３４】
【表１】
0005520632.tif 000002
【００３５】
また、制御部７０は、原稿読取部筐体６が本体側筐体４に対して開状態又は閉状態となるそれぞれの状態に応じて、液晶表示部１００のコントラスト調整を行う。コントラスト調整とは、液晶表示部１００に表示される画像における明部と暗部との比の調整のことである。液晶表示部１００は、コントラストを上げたい場合には、液晶表示部１００に表示される画像における明部の輝度を増加させると共に、液晶表示部１００に表示される画像における暗部の輝度を減少させる。また、液晶表示部１００は、コントラストを下げたい場合には、液晶表示部１００に表示される画像における明部の輝度を減少させると共に、液晶表示部１００に表示される画像における暗部の輝度を増加させる。
【００３６】
制御部７０は、液晶表示部１００のコントラスト調整を行う場合、液晶表示部１００に画像を表示させるための信号に含まれる情報のダイナミックレンジを調整する。液晶表示部１００は、ダイナミックレンジが調整された情報を含む信号が入力された場合、信号の電圧に基づいて上述した液晶層を構成する液晶分子の配向状態が制御されることにより、コントラストを調整する。
【００３７】
制御部７０は、原稿読取部筐体６が本体側筐体４に対して開状態となる場合には、原稿読取部筐体６が本体側筐体４に対して閉状態となる場合に比べて、液晶表示部１００のコントラストを上げるよう制御するか、又は液晶表示部１００のコントラストを下げるよう制御する。制御部７０は、液晶表示部１００のコントラストを上げるよう制御するか、又は液晶表示部１００のコントラストを下げるよう制御するかの判断は、液晶層の特性等に応じて適宜設定すればよい。すなわち、原稿読取部筐体６が開状態となる場合に、制御部７０が液晶表示部１００のコントラストを上げるよう制御すれば、コピー機１を利用するユーザが液晶表示部１００を視認しやすくなるときには、制御部７０は、液晶表示部１００のコントラストを上げるよう制御すればよい。一方、原稿読取部筐体６が閉状態となる場合に、制御部７０が液晶表示部１００のコントラストを下げるよう制御すれば、コピー機１を利用するユーザが液晶表示部１００を視認しやすくなるときには、制御部７０は、液晶表示部１００のコントラストを下げるよう制御すればよい。
【００３８】
なお、記憶部６０には、原稿読取部筐体６が本体側筐体４に対して閉状態となる場合に、ユーザが液晶表示部１００を視認しやすくなるときの液晶表示部１００の適切なコントラストの設定情報（第１の設定情報）を予め記憶させておいてもよい。さらに、記憶部６０には、原稿読取部筐体６が本体側筐体４に対して開状態となる場合（原稿読取部筐体６が、開状態の限界となる位置に移動された場合）に、ユーザが液晶表示部１００を視認しやすくなるときの液晶表示部１００の適切なコントラストの設定情報（第２の設定情報）を予め記憶しておいてもよい。この場合、制御部７０は、開閉検出部１１０により原稿読取部筐体６の閉状態を検出した場合に、第１の設定情報を記憶部６０から読み出し、第１の設定情報に基づいて液晶表示部１００が適切なコントラストとなるよう液晶表示部１００を制御する。また、制御部７０は、開閉検出部１１０により原稿読取部筐体６の開状態を検出し、且つ、状態検出部１２０により蓋部７が第１状態となることを検出した場合に、第２の設定情報を記憶部６０から読み出し、第２の設定情報に基づいて液晶表示部１００が適切なコントラストとなるよう液晶表示部１００を制御する。ここで、原稿読取部筐体６が開状態となる場合、原稿読取部筐体６は、開状態の限界となる位置まで移動されることが多い。このため、コピー機１は、原稿読取部筐体６が開状態となるときにおいても、液晶表示部１００の適切なコントラストを提供することが可能となる。同様に、コピー機１は、原稿読取部筐体６が閉状態となるときにおいても、液晶表示部１００の適切なコントラストを提供することが可能となる。
【００３９】
上述したように、制御部７０は、開閉検出部１１０により原稿読取部筐体６の開状態を検出し、且つ、状態検出部１２０により蓋部７が第１状態となることを検出した場合に、液晶表示部１００のコントラストを変えるよう液晶表示部１００を制御する。これは、制御部７０が、原稿読取部筐体６が確実に開状態になっていると判断した上で、液晶表示部１００のコントラストを変えるよう液晶表示部１００を制御するためである。
【００４０】
さらに、制御部７０は、角度検出部１３０により検出される角度θに応じて、液晶表示部１００のコントラストを変えるよう液晶表示部１００を制御する。
この場合、記憶部６０には、本体側筐体４に対する原稿読取部筐体６の角度θと、ユーザが液晶表示部１００を視認しやすくなるときの液晶表示部１００の適切なコントラストの設定情報（第３の設定情報）とを対応付けたテーブルを予め記憶させておいてもよい。制御部７０は、上述した角度検出信号が角度検出部１３０から供給された場合に、角度検出信号に含まれる情報（原稿読取部筐体６の角度θ）に対応する第３の設定情報を記憶部６０から読み出し、第３の設定情報に基づいて適切なコントラストとなるよう液晶表示部１００を制御する。
【００４１】
なお、角度検出部１３０によって検出される原稿読取部２０の角度（検出角度）θが、記憶部６０に記憶されるテーブルの中に含まれていない場合、制御部７０は、例えば、テーブルに記載される複数の角度の中から検出角度θに最も近い角度を選び、選ばれた角度に対応する設定情報を記憶部６０から読み出して、読み出された設定情報に基づいて液晶表示部１００が適切なコントラストとなるよう液晶表示部１００を制御してもよい。
【００４２】
この場合の具体的な一例として、本体側筐体４に対する原稿読取部筐体６の角度が２０°となる場合の設定情報（Ｄ１）と、本体側筐体４に対する原稿読取部筐体６の角度が４０°となる場合の設定情報（Ｄ２）とが記憶部６０に予め記憶されている場合について説明する。制御部７０は、角度検出部１３０により検出された角度（検出角度）θが３５°であったときには、テーブルに記載される複数の角度の中から検出角度３５°に最も近い角度４０°を選び、選ばれた角度４０°に対応する設定情報（Ｄ２）を記憶部６０から読み出して、読み出された設定情報（Ｄ２）に基づいて適切なコントラストとなるよう液晶表示部１００を制御する。
【００４３】
次に、コピー機１の特徴的な動作について図９を参照しながら説明する。図９は、コピー機１の特徴的な動作について説明するためのフローチャートである。
ステップＳＴ１において、制御部７０は、開閉検出部１１０から供給された開閉検出信号に基づいて、開閉検出部１１０が開状態を検出し、且つ、供給されるＨｉｇｈ信号とＬｏｗ信号との違いに基づいて、状態検出部１２０が第１状態を検出したか否かを判断する。開閉検出部１１０が開状態を検出し、且つ、状態検出部１２０が第１状態を検出した場合（Ｙｅｓ）には、ステップＳＴ２に進む。開閉検出部１１０が開状態を検出せず、又は、状態検出部１２０が第１状態を検出しない場合（Ｎｏ）には、ステップＳＴ３に進む。
【００４４】
ステップＳＴ２において、制御部７０は、原稿読取部筐体６が本体側筐体４に対して開状態になっていると判断して、原稿読取部筐体６が開状態となるときのコントラストになるよう設定を行う。すなわち、制御部７０は、原稿読取部筐体６が開状態となるときに、液晶表示部１００に表示される表示内容がユーザに視認され易い適切なコントラストになるよう液晶表示部１００を制御する。ステップＳＴ２の処理の後は、全体の処理を終了する。
【００４５】
ステップＳＴ３において、制御部７０は、原稿読取部筐体６が本体側筐体４に対して閉状態になっていると判断して、原稿読取部筐体６が閉状態となるときのコントラストになるよう設定を行う。すなわち、制御部７０は、原稿読取部筐体６が閉状態となるときに、液晶表示部１００に表示される表示内容がユーザに視認され易い適切なコントラストになるよう液晶表示部１００を制御する。ステップＳＴ３の処理の後は、ステップＳＴ１に戻る。
【００４６】
以上説明したように、本実施形態のコピー機１によれば、以下の効果が奏される。
すなわち、本実施形態のコピー機１によれば、開閉検出部１１０により原稿読取部筐体６の開状態を検出し、且つ、状態検出部１２０により蓋部７が第１状態となることを検出した場合と、開閉検出部１１０により原稿読取部筐体６の閉状態を検出した場合とで、液晶表示部１００のコントラストを異ならせるので、液晶表示部１００が配置される原稿読取部筐体６の開閉状態にかかわらず、液晶表示部１００の表示内容の視認性を向上させることができる。
また、本実施形態のコピー機１によれば、従来から既に用いられている開閉検出部１１０と、状態検出部１２０とを利用して、制御部７０が液晶表示部１００の制御を行うので、コストが上昇することを避けることができる。
【００４７】
また、本実施形態のコピー機１によれば、角度検出部１３０により検出される角度に応じて、液晶表示部１００のコントラストを変えるので、液晶表示部１００が配置される原稿読取部筐体６の開閉状態に応じて、液晶表示部１００の表示内容をより容易に視認させ易くすることができる。
【００４８】
なお、本発明は、上述した実施形態に限定されることはなく、種々の形態で実施することができる。
本発明の画像形成装置は、上述したコピー機１に限定されることはない。すなわち、本発明の画像形成装置は、コピー機能、ファクシミリ機能、プリンタ機能及びスキャナ機能を備える複合機であってもよく、ファクシミリやプリンタであってもよい。
また、本発明の画像形成装置によって画像が形成される被画像形成媒体は用紙に限定されることはなく、例えば、ＯＨＰ（オーバヘッドプロジェクタ）シート等のフィルムシートであってもよい。
【００４９】
また、画像形成装置において、液晶表示部が蓋部に配置されている場合には、制御部は、以下に説明する制御を行えばよい。すなわち、制御部は、状態検出部により蓋部が第１状態となることを検出した場合と、開閉検出部により原稿読取部筐体の閉状態を検出し、且つ、状態検出部により蓋部が第１状態とはならないことを検出した場合とで、液晶表示部のコントラストを異ならせるよう前記液晶表示部を制御する。このような画像形成装置によれば、液晶表示部が配置される蓋部の開閉状態にかかわらず、液晶表示部の表示内容の視認性を向上させることができる。
【符号の説明】
【００５０】
１…コピー機（画像形成装置）、４…本体側筐体、４ａ…上カバー、６…原稿読取部筐体、７…蓋部、２０…原稿読取部、９０…制御部、１００…液晶表示部、１１０…開閉検出部、１２０…状態検出部、１３０…角度検出部
【図１】
0005520632.tif 000003
【図２】
0005520632.tif 000004
【図３】
0005520632.tif 000005
【図４】
0005520632.tif 000006
【図５】
0005520632.tif 000007
【図６】
0005520632.tif 000008
【図７】
0005520632.tif 000009
【図８】
0005520632.tif 000010
【図９】
0005520632.tif 000011